(57)【要約】      （修正有）【課題】映像鑑賞用途以外にも包装容器としての利用が可能で、かつ、組み立てが容易な映像鑑賞機能付き包装容器であって、輸送時にも別途の包装容器を必要としない安価な映像鑑賞機能付き包装容器を提供することを課題とする。【解決手段】包装箱２の中に双眼レンズ部材及び仕切り部材３が収納され、前記包装箱２の前面には２つのレンズ孔形成部が設けられていて、前記仕切り部材３は、前記２つのレンズ孔形成部の間に略垂直に起立する仕切り部３１と、前記包装箱２の背面側内面に接する背面部３３ａと、を有し、前記背面部３３ａには端末固定部が設けられていることを特徴とする映像鑑賞機能付き包装容器。【選択図】図４
2018072808.tif 000002
【特許請求の範囲】
【請求項１】
包装箱の中に双眼レンズ部材及び仕切り部材が収納され、
前記包装箱の前面には２つのレンズ孔形成部が設けられていて、
前記仕切り部材は、前記２つのレンズ孔形成部の間に略垂直に起立する仕切り部と、前記包装箱の背面側内面に接する背面部と、を有し、
前記背面部には端末固定部が設けられていることを特徴とする映像鑑賞機能付き包装容器。
【請求項２】
請求項１に記載の映像鑑賞機能付き包装容器であって、
前記包装箱の側面には、端末操作窓形成部が設けられていることを特徴とする映像鑑賞機能付き包装容器。
【請求項３】
請求項１または２に記載の映像鑑賞機能付き包装容器であって、
前記仕切り部材の前記仕切り部の下端部には、前記仕切り部を略垂直位置に保つ起立保持部が設けられていることを特徴とする映像鑑賞機能付き包装容器。
【請求項４】
請求項１から３のいずれかに記載の映像鑑賞機能付き包装容器であって、
前記包装箱の背面と側面の接合部および背面と底面の接合部に、前記包装箱内側に押し込むことで段部を形成する端末ガイド部が設けられていることを特徴とする映像鑑賞機能付き包装容器。
【請求項５】
請求項４に記載の映像鑑賞機能付き包装容器であって、
前記仕切り部材は、前記段部と干渉する部分が切り欠かれていることを特徴とする映像鑑賞機能付き包装容器。
【請求項６】
請求項１から５のいずれかに記載の映像鑑賞機能付き包装容器であって、
前記仕切り部材に、天面板が設けられていることを特徴とする映像鑑賞機能付き包装容器。
【請求項７】
請求項１から６のいずれかに記載の映像鑑賞機能付き包装容器であって、
前記包装箱の前記２つのレンズ孔形成部の間の前面と底面の接合部に押し込み部が設けられていることを特徴とする映像鑑賞機能付き包装容器。
【発明の詳細な説明】
【技術分野】
【０００１】
本発明は、映像鑑賞機能付き包装容器に関する。具体的には、スマートフォン等の端末に表示した映像を鑑賞する機能を有する包装容器に関するものである。
【背景技術】
【０００２】
人間が物を立体として認識できる理由は、その物を、左右の２つの目によって互いに異なる角度から見ているからである。したがって、人間の両眼の視差と同じ角度差になるように、一つの物を互いに異なる角度から見た少なくとも２つの画像を、対象者の左右の目にそれぞれ振り分けて提示すれば、左右の目に映る画像が脳内で同時に知覚されて合成されるため、対象者は立体的な感覚を得ることができる。そして、このような視差画像を携帯端末等の表示装置に表示させた映像を見るための映像鑑賞装置が提案されている。
【０００３】
例えば、双眼レンズと、表示装置を支持する支持手段と、双眼レンズにおける２つのレンズの間から支持手段に向かって延びる仕切り板と、双眼レンズと支持手段と仕切り板とを繋ぐアームとを備える映像鑑賞装置が提案されている（特許文献１）。
特許文献１のような映像鑑賞装置の使用者は、仕切り板と支持手段との間に、映像の表示される表示面を双眼レンズ側に向けて表示装置を挟み、双眼レンズを通して、映像を見る。
【０００４】
しかし、特許文献１のような映像鑑賞装置は映像鑑賞用の専用品として提供されるものであり、映像鑑賞用途以外には使い道の無い装置であった。
また、バネやネジ等の金属部材を利用しているため、紙部材に比べて高価な装置であった。
【０００５】
紙やプラスチック等を材料に使用し、表示装置を載置する台座部を有する映像鑑賞装置も提案されている（特許文献２）。特許文献２のような映像鑑賞装置の構成によれば、机などの台上に台座部を置き、台座部に表示装置を載置することによって、使用者は、映像鑑賞装置や表示装置を手で持つことなく、観察姿勢を安定させて映像を見ることができる。
【０００６】
更にまた、観察者の眼前に配置され、左右の眼に対応した箇所に配置されるレンズ部と、情報処理端末が設置される台座部と、レンズ部と台座部との間に保持され、情報処理端末に表示された映像光をレンズ部に向けて反射させるミラー部とを備えレンズ部、台座部、及びミラー部は、折りたたみ可能に連結されている映像鑑賞装置がある（特許文献３）。
【０００７】
しかし、特許文献２及び３のように紙やプラスチック等を材料に使用した比較的安価な映像鑑賞装置であっても、特許文献１と同様に映像鑑賞用の専用品であり、映像鑑賞用途以外には使い道の無い装置であった。
また、輸送時にはこれらの映像鑑賞装置を包装する紙箱等の包装容器が別途用意しなければならないという問題もあった。
さらには、各部材の複雑な組み立てを行わなければならず、使用者が当該映像鑑賞装置を手にしてすぐに使用できるものではなかった。
【先行技術文献】
【特許文献】
【０００８】
【特許文献１】特開２０１３−１９０４５０号公報
【特許文献２】登録実用新案第３１８５４５８号公報
【特許文献３】登録実用新案第３１８３２２８号公報
【発明の概要】
【発明が解決しようとする課題】
【０００９】
本発明は上記のような事情に鑑みてなされたもので、映像鑑賞用途以外にも包装容器としての利用が可能で、かつ、組み立てが容易な映像鑑賞機能付き包装容器であって、輸送時にも別途の包装容器を必要としない安価な映像鑑賞機能付き包装容器を提供することを課題とする。
【課題を解決するための手段】
【００１０】
本発明は係る課題に鑑みなされたものであり、本発明の映像鑑賞機能付き包装容器は、包装箱の中に双眼レンズ部材及び仕切り部材が収納され、前記包装箱の前面には２つのレンズ孔形成部が設けられていて、前記仕切り部材は、前記２つのレンズ孔形成部の間に略垂直に起立する仕切り部と、前記包装箱の背面側内面に接する背面部と、を有し、前記背面部には端末固定部が設けられていることを特徴とする。
【００１１】
また、本発明の映像鑑賞機能付き包装容器の前記包装箱の側面には、端末操作窓形成部が設けられていても良い。
【００１２】
また、本発明の映像鑑賞機能付き包装容器の前記仕切り部材の前記仕切り部の下端部には、前記仕切り部を略垂直位置に保つ起立保持部が設けられていても良い。
【００１３】
また、本発明の映像鑑賞機能付き包装容器の前記包装箱の背面と側面の接合部および背面と底面の接合部に、前記包装箱内側に押し込むことで段部を形成する端末ガイド部が設けられていても良い。
【００１４】
また、本発明の映像鑑賞機能付き包装容器の前記仕切り部材は、前記段部と干渉する部分が切り欠かれていても良い。
【００１５】
また、本発明の映像鑑賞機能付き包装容器の前記仕切り部材に、天面板が設けられていても良い。
【００１６】
また、本発明の映像鑑賞機能付き包装容器の前記包装箱の前面と底面の接合部の前記２つのレンズ孔形成部の間に押し込み部が設けられていても良い。
【発明の効果】
【００１７】
本発明の映像鑑賞機能付き包装容器は、レンズ孔形成部を有する包装箱と、双眼レンズ部材と、端末固定部を有する仕切り部材と、で構成されており、映像鑑賞機能を有するための必要最低限の簡素な部材のみで構成されているため、非常に安価に提供することが可能である。
【００１８】
加えて、映像鑑賞用途として利用しない場合にも、２つの前記レンズ孔形成部の間に略垂直に起立する仕切り部を箱の中仕切りとして利用することにより、当該映像鑑賞機能付き包装容器を中仕切り付きの包装容器として利用することが可能である。
【００１９】
さらに、本発明の映像鑑賞機能付き包装容器を映像鑑賞用途に利用する場合には、前記包装箱前面のレンズ孔形成部を切り取って前記包装箱内に収納されている双眼レンズ部材を固着し、前記包装箱の中仕切りとして全体がすでに組み立てられている仕切り部材の端末固定部のみを組み立てるだけで、容易に映像鑑賞装置として利用することが可能である
。
【００２０】
あるいは、本発明の映像鑑賞機能付き包装容器を映像鑑賞用途に利用する場合には、前記包装箱前面のレンズ孔形成部を切り取って前記包装箱内に収納されている双眼レンズ部材を固着し、前記包装箱の中仕切りとして全体がすでに組み立てられている仕切り部材の仕切り部のみを組み立てるだけで、容易に映像鑑賞装置として利用することが可能な態様とすることも可能である。
【００２１】
なお、当然のことだが、本発明の映像鑑賞機能付き包装容器はそれ自体が包装容器であるため、輸送時等に別途の包装容器を用意する必要も無い。
【００２２】
また、前記包装箱の側面に端末操作窓形成部を設けることにより、前記包装箱内に映像表示端末を配置固定したままの状態で、前記包装箱外方から手指を挿し入れて前記映像表示端末を操作することが可能となる。
【００２３】
また、前記仕切り部材の前記仕切り部の下端部に起立保持部が設けられていることにより、前記仕切り部を確実に略垂直位置に保つことが可能となり、映像鑑賞中に前記仕切り部が倒れて映像鑑賞の妨げになるような虞が無い。
【００２４】
また、前記包装箱の背面と側面の接合部および背面と底面の接合部に、前記包装箱内側に押し込むことで段部を形成する端末ガイド部が設けられていることで、映像表示端末の支持をより確実なものとすることが可能となり、映像表示端末の位置がずれて映像鑑賞の妨げとなるような虞が無い。
【００２５】
また、前記仕切り部材は、前記段部と干渉する部分が切り欠かれていることで、前記端末ガイド部を押し込んで段部を形成する際に前記仕切り部材と干渉することがなく、映像表示端末の段部を利用した配置固定が支障なく行える。
【００２６】
また、前記仕切り部材に、天面板が設けられていることで、前記包装箱内に配置された映像表示端末が、前後方向で傾いていわゆる面振れを起こす虞をなくすことができ、映像表示端末と双眼レンズ部材との距離が左右で異なってしまう虞が無く、また前記包装箱の保形性を高めることが可能となる。
【００２７】
また、前記包装箱の前面と底面の接合部の前記２つのレンズ孔形成部の間に押し込み部を設けることで、使用者が双眼レンズを覗いたときに使用者の鼻が前記包装箱に当たる虞が無く、快適に映像鑑賞を行うことが可能となる。
【図面の簡単な説明】
【００２８】
【図１】本発明の映像鑑賞機能付き包装容器の実施形態における各部材の展開図を模式的に示した説明図である。
【図２】本発明の映像鑑賞機能付き包装容器の実施形態の包装箱を底面から見た状態を示した模式的な底面図である。
【図３】本発明の映像鑑賞機能付き包装容器を包装容器として利用する際の組み立て方を模式的に示した説明図であり、（ａ）は仕切り部材と包装箱をそれぞれ組み立てた状態、（ｂ）は組み立てた仕切り部材を包装箱の中に収納した状態を示す。
【図４】本発明の映像鑑賞機能付き包装容器を映像鑑賞装置として利用する際の組み立て方を模式的に示した説明図であり、（ａ）は仕切り部材と包装箱をそれぞれ組み立てた状態、（ｂ）は組み立てた仕切り部材を包装箱の中に収納した状態を示す。
【図５】本発明の映像鑑賞機能付き包装容器の第二の実施形態における各部材の展開図を模式的に示した説明図である。
【図６】本発明の映像鑑賞機能付き包装容器の第二の実施形態の包装箱を底面から見た状態を示した模式的な底面図である。
【図７】本発明の映像鑑賞機能付き包装容器の第二の実施形態を包装容器として利用する際の組み立て方を模式的に示した説明図であり、（ａ）は組み立てた包装箱をそれぞれ前面側および背面側から見た状態、（ｂ）は仕切り部材を組み立てた状態を示す。
【図８】本発明の映像鑑賞機能付き包装容器の第二の実施形態を包装容器として利用する際の、組み立てた仕切り部材を包装箱の中に収納する状態を包装箱の側面側から見た状態を示す。
【図９】本発明の映像鑑賞機能付き包装容器の第二の実施形態を映像鑑賞装置として利用する際の組み立て方を模式的に示した説明図であり、（ａ）は仕切り部を組み立てた状態、（ｂ）は組み立てた包装箱を前面側と背面側から見た状態を示す。
【図１０】発明の映像鑑賞機能付き包装容器の第二の実施形態を映像鑑賞装置として利用する際の、段部への映像表示端末の装着の態様を示した説明図である。
【発明を実施するための形態】
【００２９】
以下、本発明を実施するための実施形態につき図面を参照して説明する。
【００３０】
本発明の映像鑑賞機能付き包装容器１は、包装箱２、仕切り部材３、及び双眼レンズ部材（図示せず）から構成され、包装箱２及び仕切り部材３はそれぞれ、図１に示すような１枚のブランクシートを折り曲げ組み立てることにより形成される。包装箱２及び仕切り部材３を構成するブランクシートは商品を包装した状態で輸送することを考慮した強度を備えていれば良く、具体的には厚紙や段ボール紙が好適に使用される。
【００３１】
包装箱２を構成するブランクシートは、図１に示すように、側面板２２、前面板２１、側面板２２、背面板２３、糊代片２９の順に折り曲げ線を介して連設されており、糊代片２９を、糊代片２９に連設していない方の側面板２２の裏面に接着することにより四角筒形状の胴部を形成する。また、前面板２１の下には前面底フラップ２４が、側面板２２の下には側面底フラップ２５が、背面板２３の下には背面底フラップ２６が、それぞれ連設されている。また、側面の上端には横フラップ２８が、背面板２３の上端には蓋板２７が、それぞれ連設されており、蓋板２７の先端部には差込片２７ａが連設されている。
【００３２】
前面板２１には、双眼レンズ部材（図示せず）の２つのレンズを通して映像表示端末の映像を見るようにするための貫通孔を開けられるようにレンズ孔形成部２１ａが２つ設けられている。また、側面板２２の上下方向略中央よりやや下側には、包装箱２内に映像表示端末を配置固定したままの状態で、包装箱２外方から手指を挿し入れて前記映像表示端末を操作することができるようにするための端末操作窓形成部２２ａが設けられている。
【００３３】
包装箱２をブランクシートから箱形態に組み立てる際にはまず、糊代片２９を、糊代片２９に連設していない方の側面板２２の裏面に接着することにより、前面板２１、一対の側面板２２、及び背面板２３からなる四角筒形状の胴部を形成する。
次に、底面を形成する際には、前面底フラップ２４、一対の側面底フラップ２５、２５の順に折り曲げた後、背面底フラップ２６を折り曲げてそのまま背面底フラップの先端部を上方に押し込むことにより、図２に示すように、各フラップの突出部が内方に押し込まれて４枚のフラップ全体で底面が形成される。なお、本実施形態では４枚フラップで底面を構成しているが、これに限らず、底部分が閉じられて箱としての体裁が整っていれば底部分の構造はどのようなものでも良い。
【００３４】
その後、一対の横フラップ２８、２８を折り曲げた後、蓋板２７の差込片２７ａを前面板２１の裏面に接するように差し込むことにより、包装箱２の組み立てが完了する。
【００３５】
仕切り部材３を構成するブランクシートは、図１に示すように、底面部３２ａ、仕切り部３１ａ、折り曲げ線３１ｃ、仕切り部３１ｂ、底面部３２ｂの順に連設されてなり、底面部３２ａの上には背面部３３ａが、底面部３２ｂの上には背面部３３ｂが、それぞれ連設されている。また、全体として、仕切り部３１の折り曲げ線３１ｃを中心に線対称の形になっている。
【００３６】
また、背面部３３ａの上方隅部には、映像表示端末を固定するための端末固定部３５ａが形成されており、端末固定部３５ａは、背面部３３ａの上端部から下方に切込を入れて、手前に鉤型になるように端末固定部３５ａの構成片３５１、３５２を略直角に折り曲げるだけの簡素な構成で形作られている。
背面部３３ｂの上方隅部にも同様に、端末固定部３５ｂが形成されており、端末固定部３５ｂも、背面部３３ｂの上端部から下方に切込を入れて、手前に鉤型になるように端末固定部３５ｂの構成片３５３、３５４を略直角に折り曲げるだけの簡素な構成である。
【００３７】
また、底面部３２ａ、３２ｂと仕切り部３１ａ、３１ｂとの境界部付近には、仕切り部３１ａ、３１ｂを折り曲げ線３１ｃで背中合わせになるように折り曲げて構成される仕切り部３１を略垂直位置に保つための起立保持部３４ａ、３４ｂが設けられている。
起立保持部３４ａは、２つの構成板３４１、３４２からなり、底面部３２ａ、３２ｂと仕切り部３１ａ、３１ｂとの境界部を谷折するのに対して、構成板３４１と構成板３４２の境界部を山折することにより、起立保持部３４ａが突出するため、仕切り部３１（３１ａ）の起立状態を保持することが可能となり、仕切り部３１（３１ａ）が底面部３２ａ側に倒れる虞が無くなる。
もう一方の起立保持部３４ｂについても起立保持部３４ａと同様であり、起立保持部３４ｂが突出することにより、仕切り部３１（３１ｂ）の起立状態を保持することが可能となる。
【００３８】
仕切り部材３をブランクシートから包装箱２の中仕切りとして使用する状態に組み立てる際にはまず、仕切り部３１ａ、３１ｂの間の折り曲げ線３１ｃを山折することにより、逆Ｖ字状の仕切り部３１を形成する。その後、仕切り部３１ａ、３１ｂと底面部３２ａ、３２ｂとの間の境界部を谷折し、さらに、底面部３２ａ、３２ｂと背面部３３ａ、３３ｂとの間の境界部を谷折することにより、中仕切り形態を形成することができる。
本実施形態ではさらに、中仕切り形態とする場合にも、起立保持部３４ａ、３４ｂを組み立てる。起立保持部３４ａは、２つの構成板３４１、３４２の境界部を山折し、構成板３４１と底面部３２ａ、構成板３４２と仕切り部３１ａの境界部を谷折することにより、突出した起立保持部３４ａを組み立てることができる。起立保持部３４ｂの組み立ても、起立保持部３４ａの組み立てと同様である。これにより、図３（ａ）に示すような中仕切り形態への組み立てが完了する。
【００３９】
なお、本実施形態では、中仕切り形態とする場合にも、起立保持部３４ａ、３４ｂを組み立てるが、包装箱２に収納する内容物が前後幅いっぱいの場合等、食品等の内容物を収納する包装箱２の中仕切りとして仕切り部材３を使用する場合に起立保持部３４ａ、３４ｂが不要な場合には、起立保持部３４ａの構成板３４１、３４２の境界部と仕切り部３１ａと底面部３２ａとの境界部、起立保持部３４ｂの構成板３４３、３４４の境界部と仕切り部３１ｂと底面部３２ｂとの境界部、をそれぞれ同一線上にすることにより、中仕切りとして仕切り部材３を使用する場合には起立保持部３４ａ、３４ｂを組み立てずに使用することも可能である。
【００４０】
包装箱２に仕切り部材３と食品等の内容物を収納して内容物輸送用の包装箱２として使用する場合には、図３に示すように、四角筒形状の胴部及び底面を形成した包装箱２に、中仕切り形態に組み立てた仕切り部材３を収納し、仕切り部材３の上から仕切り部３１の
左右に内容物を収納する。そして、横フラップ２８、２８を内方に折り曲げ、蓋板２７を折り曲げて差込片２７ａを前面２２の裏面に接するように差し込むことにより、包装容器として使用する場合の映像鑑賞機能付き包装箱１の組み立てが完了する。
【００４１】
また、包装箱２に仕切り部材３及び内容物の他に、後で詳細に説明する双眼レンズ部材を封入しておくことにより、包装箱２に収納された内容物を取り出して当該双眼レンズ部材を包装箱２に貼着すれば、本発明の映像鑑賞機能付き包装容器１を映像鑑賞装置として使用することも可能となる。
【００４２】
次に、本発明の映像鑑賞機能付き包装容器１を映像鑑賞装置として使用する場合の仕切り部材３の組み立てについて説明する。
【００４３】
仕切り部材３をブランクシートから映像表示端末の固定部材として使用する状態に組み立てる際には、中仕切りとして使用する際と同様に組み立てた後、背面部３３ａ、３３ｂに形成された端末固定部３５ａ、３５ｂを組み立てる。
ただし、仕切り部材３は、映像表示端末の固定部材として使用する前には、包装容器の中仕切りとして使用されているため、使用者は、端末固定部３５ａ、３５ｂを組み立てるだけで良い。
【００４４】
端末固定部３５ａは、２つの構成板３５１、３５２からなり、背面部３３ａと構成板３５２の境界部及び構成板３５２と構成板３５１の境界部を山折して、全体が背面部３３ａから前面側に突出した鉤型となるように折り曲げることにより形成される。
端末固定部３５ｂも端末固定部３５ａと同様に、背面部３３ｂと構成板３５４の境界部及び構成板３５４と構成板３５３の境界部を山折して、全体が背面部３３ｂから前面側に突出した鉤型となるように折り曲げることにより形成される。
これにより、図４に示すような映像表示端末の固定部材形態への組み立てが完了する。
【００４５】
本発明の映像鑑賞機能付き包装容器１で使用する双眼レンズ部材は、左レンズと右レンズとを保持し、包装箱２前面板２１の２つのレンズ孔２１ｂ、２１ｂの各々にレンズが配置される構成であれば良く、例えば、プラスチック製の１枚の平坦なプレートに左レンズと右レンズとの２つのレンズが形成されたレンズシート型であっても良いし、左右２枚のレンズをレンズ孔付き台紙に嵌め込んで形成されたものであっても良い。また、左レンズと右レンズとは別の部材であっても良いし、左右のレンズが直接レンズ孔２１ｂ、２１ｂに嵌合または貼着されるような構成であっても良い。
前記双眼レンズ部材には、左レンズと右レンズの間の領域に、包装箱２の前面板２１との貼着ができるようにするための貼着部材を有する。前記貼着部材は例えば、両面テープ等が好適に用いられる。
【００４６】
また、前記双眼レンズ部材の左右のレンズは、片側が平面で他方が凸面の形状を有する平凸レンズであっても良いし、両面が凸面である凸レンズであっても良い。ただし、前記双眼レンズ部材を用いた映像鑑賞装置の視認性を高めるという観点では、レンズと物体の間の距離及びレンズと像の間の距離が異なる場合にも球面収差を小さくすることが可能である平凸レンズを用いることが好ましい。また、映像鑑賞機能付き包装容器１を映像鑑賞装置として使用した後にまた包装容器として使用する場合を考慮した場合にも、包装箱２内面側を平面とする平凸レンズを利用することが好ましい。
また、前記双眼レンズ部材は、包装箱２に食品等の内容物と共に収納されている際には、レンズ部分が傷つかないよう、緩衝材等で包まれていることが好ましい。
【００４７】
本発明の映像鑑賞機能付き包装容器１を映像鑑賞装置として使用する場合にはまず、図４に示すように、四角筒形状の胴部及び底面を形成した包装箱２のレンズ孔形成部２１ａ
、２１ａ及び端末操作窓形成部２２ａ、２２ａを取り除いてレンズ孔２１ｂ、２１ｂ及び端末操作窓２２ｂ、２２ｂを形成する。
なお、端末操作窓２２ｂ、２２ｂは、映像鑑賞中に特に映像表示装置を操作することが無い場合には形成しないままでも良いし、端末操作窓形成部２２ａ、２２ａの全体を切り取るのではなく一部を残してドア開きが可能な状態としても良い。
【００４８】
その後、前記双眼レンズ部材の前記貼着部材を用いて、レンズ孔２１ｂ、２１ｂに前記双眼レンズ部材の左右２つのレンズが合致する位置で前記双眼レンズ部材を包装箱２の前面板２１に貼着する。このとき、前記双眼レンズ部材を貼着する位置は、包装箱２の内面（前面板２１の裏面）であっても良いし、包装箱２の外面（前面板２１の表面）であっても良い。ただし、包装箱２の外面に前記双眼レンズ部材を貼着した場合には、前記双眼レンズ部材を貼着した状態では前記双眼レンズ部材が他の物体に引っ掛かって包装箱２から外れたり位置がずれたりしてしまう虞があること、内面に貼着した場合に比べてレンズの外面側が傷つく可能性が高いこと、映像鑑賞機能付き包装容器１全体としての美観が損なわれること、等の問題が生じるため、前記双眼レンズ部材は包装箱２の内面に貼着することが好ましい。
【００４９】
そして、レンズ孔２１ｂ、２１ｂ及び端末操作窓２２ｂ、２２ｂを形成し、前記双眼レンズ部材を貼着した包装箱２に映像表示端末の固定部材形態に組み立てた仕切り部材３を収納する。
その後、スマートフォンやＰＤＡ（Ｐｅｒｓｏｎａｌ  Ｄｉｇｉｔａｌ  Ａｓｓｉｓｔａｎｔ若しくはＰｅｒｓｏｎａｌ  Ｄａｔａ  Ａｓｓｉｓｔａｎｃｅ）等の使用者が保有する映像表示端末（図示せず）を、映像表示面を前面板２１側にして仕切り部材３の仕切り部３１と背面部３３ａ、３３ｂの間で左右が端末固定部３５ａ、３５ｂの間に収まる位置に挿入し、仕切り板３１が左目用映像と右目用映像の境界に重なるように配置する。
【００５０】
そして、横フラップ２８、２８を内方に折り曲げ、蓋板２７を折り曲げて差込片２７ａを前面２２の裏面に接するように差し込むことにより、映像鑑賞装置として使用する場合の映像鑑賞機能付き包装容器１の組み立てが完了する。
【００５１】
映像鑑賞機能付き包装容器１の使用者が、スマートフォンやＰＤＡ等の映像表示端末のディスプレイに表示された映像を映像鑑賞装置として組み立てた映像鑑賞装置機能付き包装容器１を使って見る際には、右目で右レンズを通して右空間を覗き、左目で左レンズを通して左空間を覗く。映像表示端末のディスプレイには、両眼視差に応じた差異を有する右目用の視差映像と左目用の視差映像とが並べて表示され、右目用の視差映像は右空間に対向し、左目用の視差映像は左空間に対向する。使用者は、右目で右レンズを通して右目用の視差映像を見るとともに、左目で左レンズを通して左目用の視差映像を見る。これにより、使用者には、視差映像に含まれる対象が立体的に見える。
【００５２】
なお、映像鑑賞機能付き包装容器１を映像鑑賞装置として使用した後は、映像表示端末を抜き取り、前記双眼レンズ部材のレンズ部分が傷つかないように注意すれば、また包装容器としての使用が可能となる。このとき、映像鑑賞装置として使用した後に包装容器として使用する場合の内容物としては、端末操作窓２２ｂ、２２ｂが開いたままの状態のため、端末操作窓２２ｂ、２２ｂから飛び出さない程度の大きさや形状の内容物とすることが好ましい。
【００５３】
このように、本発明の映像鑑賞機能付き包装容器１を用いれば、仕切り部材３を中仕切りとして利用して食品等の内容物を収納した包装容器としても使用でき、レンズ孔２１ｂ、２１ｂを形成して前記双眼レンズ部材を貼着し、端末固定部３５ａ、３５ｂを組み立てて映像表示端末を配置すれば映像鑑賞装置としての使用も可能となる。
【００５４】
以下、本発明を実施するための第二の実施形態につき図面を参照して説明する。
【００５５】
本発明の第二の実施形態の映像鑑賞機能付き包装容器４は、包装箱５、仕切り部材６、及び双眼レンズ部材（図示せず）から構成され、包装箱５及び仕切り部材６はそれぞれ、図５に示すような１枚のブランクシートを折り曲げ組み立てることにより形成される。包装箱５及び仕切り部材６を構成するブランクシートは商品を包装した状態で輸送することを考慮した強度を備えていれば良く、具体的には厚紙や段ボール紙が好適に使用される。
【００５６】
包装箱５を構成するブランクシートは、図５に示すように、側面板５２、背面板５３、側面板５２、前面板５１、糊代片５９の順に折り曲げ線を介して連設されている。また、前面板５１の下には前面底フラップ５４が、側面板２２の下には側面底フラップ５５が、背面板５３の下には背面底フラップ５６が、それぞれ連設されている。また前面底フラップ５４には糊代片５４ａが、背面底フラップ５６には糊代片５６ａがそれぞれ連接されている。また、側面の上端には横フラップ５８が、前面板５１の上端には蓋板５７が、それぞれ連設されており、蓋板５７の先端部には差込片５７ａが連設されている。
【００５７】
前面板５１には、双眼レンズ部材（図示せず）の２つのレンズを通して映像表示端末の映像を見るようにするための貫通孔を開けられるようにレンズ孔形成部５１ａが２つ設けられている。また、前面板５１と前面底フラップ５４が接合する辺の左右方向略中央には、包装箱５内に押し込むことにより、使用者がレンズ孔形成部５１ａ、５１ａから双眼レンズ部材（図示せず）を介して映像を覗き込むときに鼻が包装箱５に当たらないようにするための押し込み部５１ｂが設けられている。また、側面板５２と背面板５３が接合する辺、すなわち四角筒形状としたときに角となる部位の上下方向略中央、および背面板５３と背面底フラップ５６が接合する辺の左右方向略中央には、包装箱５内に押し込むことにより段部を形成して映像表示端末をより好適に固定するための部位となる端末ガイド部５２ａ、５２ａ、５３ａが設けられている。
【００５８】
包装箱５をブランクシートから箱形態に組み立てる際にはまず、糊代片５９を、糊代片５９に連設していない方の側面板５２の裏面に接着することにより、前面板５１、一対の側面板５２、及び背面板５３からなる四角筒形状の胴部を形成する。
次に、底面を形成する際には、一対の側面底フラップ５５、５５、前面底フラップ５４、背面底フラップ５６の順に折り曲げた後、前面底フラップ５４の糊代片５４ａと背面底フラップ５６の糊代片５６ａを、それぞれ重なっている側面底フラップ５５、５５に箱の外側から被せるようにして接着剤等により接着する。次いで前面底フラップ５４と背面底フラップ５６の突出部５４ｂ、５６ｂが噛み合うように上方に押し込むことにより、図６に示すように、各フラップの突出部５４ｂ、５６ｂが内方に押し込まれて４枚のフラップ全体で底面が形成される。
【００５９】
その後、一対の横フラップ５８、５８を折り曲げた後、蓋板５７の差込片５７ａを背面板５３の裏面に接するように差し込むことにより、包装箱５の組み立てが完了する。図７（ａ）は、このように組み立てられた包装箱５の外観を、前面側と背面側から見た図であり、前面側には、前面板にレンズ孔形成部５１ａが２つ設けられ、また押し込み部５１ｂが設けられている。背面側には端末ガイド部５２ａ、５２ａ、５３ａが設けられている。なお、図示していないが、本実施形態においても前述の実施形態と同様の端末操作窓を側面板５２に形成することもできる。
【００６０】
仕切り部材６を構成するブランクシートは、図５に示すように、背面シート６１ａ、端末スペース部６１ｂ、縁部Ａ６１ｃ、縁部Ｂ６１ｄからなる背面部６１、底面部６２、前面部６３、天面部６４の順に連接されてなり、さらに天面部６４の側方に仕切り部６５が
連設され、仕切り部６５の側方先端には挿入片６６が連設されると共に切り欠き部６５ａが設けられている。底面部６２の両側には側部ガイド６２ａ、６２ａが連設されており、また略中央にスリット６２ｂが設けられている。各部の境界には折り曲げ線が適宜設けられている。
【００６１】
また、仕切り部材６が映像鑑賞装置の中仕切りとして組み立てられて包装箱５に装着されたときに、背面シート６１ａおよび端末スペース部６１ｂの包装箱５の端末ガイド部５２ａ、５２ａ、５３ａと相対する部位が、それぞれ切り欠き６１ｅ、６１ｅ、６１ｆの様に切り欠かれ、端末ガイド部５２ａ、５２ａ、５３ａが押し込まれて段部を形成したときに当該段部と干渉しないようになっている。なお背面シート６１ａ、端末スペース部６１ｂと縁部Ａ６１ｃで形成される空間が、映像表示端末が装着される端末固定部となる。縁部Ａ６１ｃと縁部Ｂ６１ｄで囲まれた開口部６１ｇは、映像表示端末が装着されたときに画面を見通すための開口となる。また底面部６２と前面部６３が接合する境界にまたがって開口６３ｂが設けられて、仕切り部材６が中仕切りとして組み立てられて包装箱５に装着され、包装箱５の押し込み部５１ｂが押し込まれたときに、押し込み部５１ｂと干渉しないようになっている。また包装箱５の２つのレンズ孔形成部５１ａ、５１ａに相対する位置に２つの目視孔６３ａ、６３ａが開口し、２つのレンズ孔形成部５１ａ、５１ａを開口させたとき映像表示端末の画面を目視するのに支障が無い様にされている。２つの目視孔６３ａ、６３ａは２つのレンズ孔形成部５１ａ、５１ａよりも若干大きめの直径で開口しているとより好ましい。
【００６２】
また、天面部６４の側方に連設されている仕切り部６５は、前面部６３とは直接には接続しておらず、中折り線６４ａを折って折り込むことができる。仕切り部６５先端の挿入片６６は、仕切り部材６が映像鑑賞装置の中仕切りとして組み立てられたときに底板部６２の中央に設けられたスリット６２ｂに挿入されて係合し、仕切り部６５を底面部６２に対して直立させた状態に保持する。このとき、仕切り部６５が押し込み部５１ｂと干渉しないように切り欠き部６５ａが設けられている。
【００６３】
仕切り部材６をブランクシートから包装箱５の中仕切りとして使用する状態に組み立てる際には、図５を見たときに、縁部Ａ６１ｃと縁部Ｂ６１ｄの間の折り曲げ線を谷折りにするほかは各部の境界となっている折曲げ線を順次山折にしてゆく。なお天面部６４と仕切り部６５の間の中折り線６４ａはこのときはまだ折らずに残しておく。このように、単純に折って行くだけで、図７（ｂ）に示すような中仕切り形態への組み立てが完了する。
【００６４】
図８に組み立てた仕切り部材６を側方から見た図を示す。側方から見ると分かるように、背面部６１には端末スペース部６１ｂを背面シート６１ａと縁部Ａ６１ｃで挟むように形成された空間である端末固定部６７があり、映像表示端末を装着できる。背面シート６１ａには切り欠き６１ｅが両側に設けられ、背面シート６１ａと端末スペース部６１ｂが接合する部位には切り欠き６１ｆが設けられている。縁部Ａ６１ｃに続いて縁部Ｂ６１ｄが、逆Ｖ字を形成する様に折り畳まれて開口部６１ｇを形成し、映像端末装置の画面が開口部６１ｇを通して見通せるようになっている。続く底面部６２には略中央にスリット６２ｂが設けられ、両側に側部ガイド６２ａ、６２ａが起立して形成されている。続いて前面部６３と、前面部６３の上端から天面部６４が連続し、天面部６４は仕切り部６５と共に内側に折りたたまれている。
【００６５】
第二の実施形態の包装箱５に仕切り部材６と食品等の内容物を収納して内容物輸送用の包装箱５として使用する場合には、図８に示すように、四角筒形状の胴部及び底面を形成した包装箱５に、中仕切り形態に組み立てた仕切り部材６を収納し、底面部６２に内容物を収納する。そして、横フラップ５８、５８を内方に折り曲げ、蓋板５７を折り曲げて差込片５７ａを背面５３の裏面に接するように差し込むことにより、包装容器として使用す
る場合の映像鑑賞機能付き包装箱５の組み立てが完了する。
【００６６】
また、包装箱５に仕切り部材６及び内容物の他に、前述の実施形態と同様に双眼レンズ部材を封入しておくことにより、包装箱５に収納された内容物を取り出して当該双眼レンズ部材を包装箱５に貼着すれば、本発明の映像鑑賞機能付き包装容器４を映像鑑賞装置として使用することも可能となる。
【００６７】
次に、本発明の第二の実施形態の映像鑑賞機能付き包装容器４を映像鑑賞装置として使用する場合の仕切り部材６の組み立てについて説明する。
【００６８】
仕切り部材６をブランクシートから映像表示端末の固定部材として使用する状態に組み立てる際には、中仕切りとして使用する際と同様に組み立てた後、天面部６４と仕切り部６５を組み立てる。図９（ａ）に示すように、前面部６３に沿う様に折り畳まれた天面部６４と仕切り部６５を引き起こし、天面部６４が底面部６２と略平行になるようにし、仕切り部６５は中折り線６４ａで底面部６２側に折り曲げ、底面部６２に対して直立した状態となるようにし、挿入片６６をスリット６２ｂに挿入し、底面部６２に沿う様に折り畳んでおく。背面部６１には端末固定部６７が形成されている。仕切り部６５が底面部６２に対して直立した状態で設けられることにより、端末固定部６７に映像表表示端末が装着されたときに映像表示端末が前面部６３側に倒れるのをより確実に防ぐことができ、また天面部６４が設けられることにより、仕切り部材６の保形性をより高めることができる。これにより、図９（ａ）に示すような映像表示端末の固定部材形態への組み立てが完了する。
【００６９】
本発明の第二の実施形態の映像鑑賞機能付き包装容器４を映像鑑賞装置として使用する場合にはまず、図９（ｂ）に示すように、四角筒形状の胴部及び底面を形成した包装箱５のレンズ孔形成部５１ａ、５１ａを取り除いてレンズ孔５１ｃ、５１ｃを形成する。その後、前述の実施形態と同様に双眼レンズ部材を前面板５１に貼着し、映像表示端末の固定部材形態に組み立てた仕切り部材６を収納する。
【００７０】
その後、前面板５１と前面底フラップ５４が接合する辺の左右方向略中央に設けられた押し込み部５１ｂを包装箱５の内部側に押し込み、凹部５１ｄを形成する。このとき、仕切り部材６の前面部６３と底面部６２の接合部には開口６３ｂが設けられているため、押し込まれた押し込み部５１ｂが仕切り部材６と干渉することはない。さらに、側面板５２と背面板５３が接合する辺の上下方向略中央、および背面板５３と背面底フラップ５６が接合する辺の左右方向略中央に設けられた端末ガイド部５２ａ、５２ａ、５３ａを包装箱５内側に押し込み、段部を形成する。このとき、仕切り部材６の背面シート６１ａの両側部および背面シート６１ａと底面部６１ｂの接合部には切り欠き６１ｅ、６１ｅ、６１ｆがそれぞれ設けられているため、端末ガイド部５２ａ、５２ａ、５３ａが押し込まれて形成された段部と仕切り部材６とは干渉しない。
【００７１】
その後、スマートフォン、タブレット端末やＰＤＡ（Ｐｅｒｓｏｎａｌ  Ｄｉｇｉｔａｌ  Ａｓｓｉｓｔａｎｔ若しくはＰｅｒｓｏｎａｌ  Ｄａｔａ  Ａｓｓｉｓｔａｎｃｅ）等の使用者が保有する映像表示端末７０を、映像表示面を前面板５１側にして仕切り部材６の縁部Ａ６１ｃと背面シート６１ａの間の端末固定部６７に挿入する。このとき端末ガイド部５２ａ、５２ａ、５３ａが押し込まれて形成された段部の間に収まる位置に装着するとさらに位置を安定させて固定できる。仕切り部６５は仕切り部材６の左右方向の略中央部であるため、左目用映像と右目用映像の境界とすることができる。
【００７２】
図１０は、段部の説明のために映像鑑賞機能付き包装容器４から一部の部材を取り去って内側を見た図であり、端末ガイド部５２ａ、５２ａ、５３ａが包装箱５の内側に押し込
まれて形成された階段状の段部５２ｂ、５２ｂ、５３ｂと、段部５２ｂ、５２ｂ、５３ｂに載置されるように挟持された映像表示端末７０の態様を示したものである。段部５２ｂ、５２ｂ、５３ｂにより、映像表示端末７０を包装箱５内でより正確な位置に、ずれる虞がなく装着することができる。なお、段部５２ｂ、５２ｂ、５３ｂの大きさ、すなわち端末ガイド部５２ａ、５２ａ、５３ａの大きさは、装着される映像表示端末７０の大きさに合わせ、適宜設定できることは言うまでもない。
【００７３】
そして、横フラップ５８、５８を内方に折り曲げ、蓋板５７を折り曲げて差込片５７ａを背面５３の裏面に接するように差し込むことにより、映像鑑賞装置として使用する場合の映像鑑賞機能付き包装容器４の組み立てが完了する。
【００７４】
第二の実施形態の映像鑑賞機能付き包装容器４の使用者は、前述の実施形態と同様に、スマートフォン、タブレット端末やＰＤＡ等の映像表示端末のディスプレイに表示された、両眼視差に応じた差異を有する右目用の視差映像と左目用の視差映像を、レンズ孔５１ｃ、５１ｃから双眼レンズ部材を通して見ることにより、視差映像に含まれる対象が立体的に見える。また、使用者がレンズ孔５１ｃ、５１ｃから映像を見るために顔を近づけたとき、前面板５１に凹部５１ｄが形成されているため、使用者の鼻が凹部５１ｄに入り込む形となって前面板５１に当たることが無く、快適に映像を見ることができる。
【００７５】
なお、第二の実施形態の映像鑑賞機能付き包装容器４を映像鑑賞装置として使用した後は、映像表示端末７０を抜き取ることで、前述の実施形態と同様に、また包装容器としての使用が可能となる。
【００７６】
このように、本発明の第二の実施形態の映像鑑賞機能付き包装容器４を用いれば、仕切り部材６を中仕切りとして利用して食品等の内容物を収納した包装容器としても使用でき、レンズ孔５１ｃ、５１ｃを形成して前記双眼レンズ部材を貼着し、端末固定部６７に映像表示端末７０を配置すれば映像鑑賞装置としての使用も可能となる。
【００７７】
以上説明したように、本発明によれば、映像鑑賞用途以外にも包装容器としての利用が可能で、かつ、組み立てが容易な映像鑑賞機能付き包装容器であって、輸送時にも別途の包装容器を必要としない安価な映像鑑賞機能付き包装容器を提供することが可能となる。
【符号の説明】
【００７８】
１、４・・・映像鑑賞機能付き包装容器
２、５・・・包装箱
２１、５１・・・前面板
２１ａ、５１ａ・・・レンズ孔形成部
２１ｂ、５１ｃ・・・レンズ孔
２２、５２・・・側面板
２２ａ・・・端末操作窓形成部
２２ｂ・・・端末操作窓
２３、５３・・・背面板
２４、５４・・・前面底フラップ
２５、５５・・・側面底フラップ
２６、５６・・・背面底フラップ
２７、５７・・・蓋板
２７ａ、５７ａ・・・差込片
２８、５８・・・横フラップ
２９、５９・・・糊代片
３、６・・・仕切り部材
３１、６５・・・仕切り部
３１ｃ、・・・折り曲げ線
３２ａ、３２ｂ、６２・・・底面部
３３ａ、３３ｂ、６１・・・背面部
３４ａ、３４ｂ・・・起立保持部
３５ａ、３５ｂ、６７・・・端末固定部
５１ｂ・・・押し込み部
５２ａ、５３ａ・・・端末ガイド部
５２ｂ、５３ｂ・・・段部
６１ａ・・・背面シート
６１ｂ・・・端末スペース部
６１ｃ・・・縁部Ａ
６１ｄ・・・縁部Ｂ
６１ｅ、６１ｆ・・・切り欠き
６１ｇ・・・開口部
６２ａ・・・側部ガイド
６３・・・前面部
６４・・・天面部
６６・・・挿入片
【図１】
2018072808.tif 000003
【図２】
2018072808.tif 000004
【図３】
2018072808.tif 000005
【図４】
2018072808.tif 000006
【図５】
2018072808.tif 000007
【図６】
2018072808.tif 000008
【図７】
2018072808.tif 000009
【図８】
2018072808.tif 000010
【図９】
2018072808.tif 000011
【図１０】
2018072808.tif 000012